(57)【要約】      （修正有）【課題】給湯器によるガス使用量の節減効果を高めるために、先日、先月などの過去の所定期間のガス使用量を表示できるとともに、当月分使用量を簡単に予測してこれを表示できるようにする。【解決手段】ガスの積算手段、管理手段、記憶手段、表示手段、表示切替手段を有し、給湯器による所定期間のガスの使用量を計測し、この計測データを上記記憶手段に記録して保存し、表示切替手段によって上記記録データを選択的に読み出して上記表示手段に表示できる給湯器のリモコンを前提として、当月の全使用量を、当月分メモリの当月のデータと先月のデータとを用いて、上記当月分使用量予測手段で演算して予測し、上記表示選択手段によって上記当月分の予測使用量を上記リモコンの表示器に選択的に表示するようになっている。【選択図】図６
2008175504.tif 000002
【特許請求の範囲】
【請求項１】
ガスの積算手段、管理手段、記憶手段、表示手段、表示切替手段を有し、給湯器による所定期間のガスの使用量を計測し、この計測データを上記記憶手段に記録して保存し、表示切替手段によって上記記録データを選択的に読み出して上記表示手段に表示できる給湯器のリモコンであって、
時間別データ記録領域を２４時間分有する当日分メモリと日別データ記憶領域を３０日分有する当月分メモリを備えており、
当日分データ管理手段と当月分データ管理手段を備えており、
当月分使用量予測手段を備えており、
当日分メモリへの時間毎データの書き込みが上書き記録であり、また、当月分メモリへの日毎データの書き込みが上書き記録であり、
当月分使用量を、当月分メモリの当月のデータと先月のデータとを用いて、上記の当月分使用量予測手段で演算して予測し、
上記表示選択手段によって当月分の予測使用量を上記リモコンの表示器に選択的に表示するようになっていることを特徴とする給湯器のリモコン。
【請求項２】
上記の当月分使用量予測手段が、上記当月分メモリにおける当月のデータと先月のデータとを加算するものである、請求項１の給湯器のリモコン。
【請求項３】
上記の当月分使用量予測手段が、上記当月分メモリにおける当月のデータと先月のデータに季節変化係数を乗じた修正値とを加算するものである、請求項１の給湯器用リモコン。
【請求項４】
当月分使用量予測手段が、最大使用量と最小使用量の両方を予測するものである、請求項１の給湯器のリモコン。
【発明の詳細な説明】
【技術分野】
【０００１】
この発明は、ガス給湯装置によるガス使用量を表示できる給湯装置のリモコンに関するものであり、ガス給湯装置のガス使用量を適宜表示して、これを使用者に認識させることで、ガス給湯装置によるガス使用量の節減を図るのに有効なものである。
【背景技術】
【０００２】
大方の一般家庭でのガス使用は調理と給湯とに大別され、調理でのガス使用では節減の可能性は余りないが、ガス給湯装置（以下、これを単に「給湯装置」という）によるガス使用はその節減の可能性が十分ある。なお、ガス暖房機によるガス使用もあるが、これは余り一般的ではない。そして、近年では給湯装置による温水を利用した床暖房、浴室暖房などの温水暖房が普及しているので、給湯装置によるガス使用の割合がますます高くなっており、したがって、給湯装置によるガス使用量をできるだけ節減することがますます重要になっている。
他方、給湯装置の月別ガス使用量を適宜、簡便に確認できるようにすれば、ガス使用の無駄を省く意識（節ガス意識）を高めてその節減を促すことができる。
そして、月々のガス使用量を記録し、これを表示器で表示することができ、これによって、月々のガス使用量を容易に確認できるものが、実開昭５５−１０６８２２号公報（全文公開）に記載されており、また、月々の給湯装置によるガス使用量を給湯装置のリモコンで表示できるようにして、任意の日に所定期間別のガス使用量を適宜、簡便に確認できるようにしたものが特許第３０６１２１５号公報に記載されている（以下これを従来技術という）。この従来技術の構成は、図７のブロック図に示すとおりであり、例えば、月毎等の所定期間に積算管理を行い、当該所定期間毎の使用量をリモコンで適宜表示することができるものである。
このものの積算期間設定手段７１は、積算の基準日を設定するための数値入力キー、もしくは、基準日設定用のデジスイッチ等を備えている。
【０００３】
計時手段７２は、カレンダ機能を有する時計回路で構成されていて、期間別積算管理手段７３に、月、日、時、分等のいわゆる計時データ７２ａを供給するものであり、また、ガス量積算手段７４（又は水量積算手段７５）は、給湯装置が消費するガス量をガス量検出手段（又は水量検出手段）で検出したガス量（又は水量）に基づいて積算を行うとともに、期間別管理手段７３から供給されるリセット信号７３ａ（又は７３ｂ）に基づいてその積算値をクリアし、ゼロから積算を再開するよう構成されている。積算手段７４（又は積算手段７５）の積算データ７４ａ（又は７５ａ）は、期間別積算管理手段７３を介して表示手段７６へ供給され、積算結果の表示がなされる。
【０００４】
期間別積算管理手段７３は、積算期間設定手段７１で設定された基準日データ７１ａと、計時手段７２から供給される計時データ７２ａとを比較し、カレンダー上の１ヵ月毎に各積算手段７４，７５の積算結果をガス，水の種別ならびに年月のデータとの対応を付けて記憶手段７７に格納した後、リセット信号７３ａ（又は７３ｂ）を発生するように構成されている。
また、期間別積算管理手段７３は、表示切替手段７８から年月を指定して過去の積算結果の表示要求がなされた場合は、記憶手段７８から該当するデータを読出し、表示手段７６へ供給して表示するように構成されている。
以上の構成により、予め設定したカレンダーによる日、週、月等の期間毎に、給湯装置で使用したガス（または水）の使用量を積算するとともに、その積算結果を記憶するので、所定期間毎の使用量を管理することができる。
【０００５】
以上の公知例は、ガス使用量を例えばカレンダー上の日、月などの各所定期間毎に積算計で積算し、所定期間満了時にその積算値を記憶手段に記憶させ、そして、積算計をリセットして新たな期間での使用量の積算を開始するものであるが、先行技術として、例えば１時間毎の使用量を逐次記憶させ、これを所定期間毎または所定時間毎に加算してその加算値を別のメモリに記憶させ、さらに任意の期間毎、又は時間毎の加算値を給湯装置のリモコンで表示するものがある（以下これを「先行技術」という）。
【０００６】
この先行技術のシステム概要は図１の「先行技術システム構成図」に示すとおりである。このものは、上記「先行技術システム構成図」に示すような仕組みで、ガス又は、水道の各使用量がガス量積算手段Ｓ１又は水量積算手段Ｓ２によって１．５秒単位で１時間分積算され、１時間毎の使用量、１日毎の使用量、３０日／一月（３０日を一月単位とする期間。以下同じ）毎の使用量等が次のように記録され、表示される。
すなわち、ガス（又は水）の時間別使用量が当日分メモリ１１に２４時間分だけ時間単位で記録され、当日分メモリ１１に１日分（２４時間分）の時間別使用量が記録されたとき、これがそのまま先日分メモリ１２に保存され、さらに、当日分の時間別使用量（２４時間分）が集計されて当該集計値が３０日／一月の当月分メモリ１３に順次記録される。そしてまた、当月分メモリ１３の３０日分の使用量を集計して月別使用量とし、当該月別使用量１２ヶ月分が月別メモリ１４に順次記録される。
【０００７】
上記当日分と先日分の時間別使用量が、上記当日分メモリ１１、先日分メモリ１２から読み出されて数値又は棒グラフで適宜表示され、また、当月の日別使用量、３０日／一月の月別使用量が上記の当月分メモリ１３、月別メモリ１４に基づいて、適宜表示される。
当日の時間別使用量は、１時から２４時までの各時間毎に積算計で積算され、その積算値が当日分メモリ１１に時間別に順次上書きして登録される。
１時から２３時までの間は、上書きして記録された当日分データと上書きされていない先日分データとが当日分メモリ１１に存在している。
【０００８】
毎日の２４時（午後１２時）になると、当日分メモリ１１における時間別使用量を合計して当日分の使用量が算出され、この日別使用量が当月分メモリ１３に順次上書きして記録され、また、当日分メモリ１１に記録された２４時間分の時間別使用量（データ）がそのまま先日分メモリ１２に移されて保存される。
このものは、期間管理を単純化するために、当月分メモリ１３に記録される日別使用量は３０日分であり、この３０日を一月の単位として管理し、この当月分メモリ１３に新たな一月のデータ、すなわち「当月のデータ」が先月のデータの上に順上書きして記録される。
そして、当月分メモリ１３に（３０日／一月）分の日別使用量が全て上書きされたとき（当月３０日目の午後１２時）、当月分メモリ１３の日別使用量を合計して当月分使用量が算定され、これが月別メモリ１４に順次記録される。
さらに、月別メモリ１４は、３０日／一月の１２ヶ月分であり、月別使用量が順次上書きして記録される。
【０００９】
以上の先行技術の構成は、ガス又は水についてそれぞれ図２の「先行技術ブロック図」に示すとおりである。なお、当該ブロック図における積算手段Ｓ２１（ガス量積算手段又は水量積算手段）は、計時手段２２からの信号に応答して１．５秒単位で１時間分だけ積算する手段であり、この１時間単位の積算は計時手段２３からの信号に応答して行われ、また、当日分データ、当月分データ、月別データ等が記録され、これらのデータが、表示切替手段２７の操作によって適宜選択的に表示手段１５に表示される。
【００１０】
そしてまた、先行技術の構成は、上記の使用量の記録、表示を実現するための管理手段２４を備えており、また、記憶手段２５、表示手段１５、表示切替手段２７を備えている。
そして、上記管理手段２４は当日分データ管理手段２４ａ、当月分データ管理手段２４ｂ、月別管理手段２４ｃ、先日分データ管理手段２４ｄ等を備えている。
そして、当日分データ管理手段２４ａは、２４時間の時計手段Ｔ１の信号を受けて当日分メモリ１１への記録を制御する。
また、当月分データ管理手段２４ｂは、３０日間の時計手段Ｔ２の信号を受けて当月分メモリ１３への記録を制御する
さらに、月別管理手段２４ｃ、先日分データ管理手段２４ｄは、月別メモリ１４、先日分メモリ１２へのそれぞれのデータの書き込みを制御する。
【００１１】
また、上記の記憶手段２５は、図３の「記録システム図」に示す記録システムによるものであり、この記録システムは、当日分メモリ１１、先日分メモリ１２、当月分メモリ１３、月別メモリ１４を備えている。
当日分メモリ１１は１時から２４時（午後１２時）までの２４時間分の時間別記憶領域を備えており、新たな時間毎データが順次上書きして記録される。先日分メモリ１２は当日分メモリ１１と同様のメモリであり、これは、当日の２４時（午後１２時）において当日の２４時間分が一括して上書きして記録される。
また、当月分メモリ１３は１日目から３０日目までの３０日分の日別記録領域を有しており、新たな日毎データ（使用量）が順次上書きして記録される。
月別メモリ１４は、１月から１２月までの１２ヶ月分の月別記憶領域を備えており、新たな月毎データが順次上書きして記録される。
【００１２】
当日分メモリ１１の記録データを２４時（午後１２時）に集計して当日の２４時間分の使用量を算出し、これを当月分メモリ１３に順次記録する。また、当月分メモリ１３に記録されているデータを３０日目の２４時（午後１２時）に集計して当月分使用量を算出し、これを月別メモリ１４に順次記録する。
なお、図１乃至図３に示す先行技術では、上記、「当日分メモリ１１」に上書きして記録された当日分の時間別データ（使用量）を集計して、これをそのときまでの当日分使用量として表示することができ、また、「当月分メモリ」に上書きして記録された当月の日別使用量を集計して、これをそのときまでの当月分使用量として表示することができる。
【特許文献１】実開昭５５−１０６８２２号公報（全文公開）
【特許文献２】特許第３０６１２１５号公報
【発明の開示】
【発明が解決しようとする課題】
【００１３】
ところで、上記特許第３０６１２１５号公報に記載されている従来例や、図１乃至図３に示す先行技術は、リモコンの表示操作によって所定期間（例えば、日単位、月単位）の使用量を表示して認識させるものであるから、例えば先月の使用量を知って、それとの関係で今月の使用量の節減を促すことはできるが、予想される今月の全使用量との関係を予め認識させて、今月の使用量の節減をさらに促すことはできない。
上記のように、従来例、先行技術はいずれも過去分（今月の過去分、先日分、先月分等）の使用量を示すものであるが、当月の予測使用量（当月末までの予測使用量）を示して、当該予測使用量との関係を予め具体的に認識させる方が、今月のガス使用量を節減させるのに有効であり、また、そのようにして目標を達成できたとき、より強い目標達成感が得られる。
そこで、この発明は、ガス使用量の節減効果を高めるために、先日、先月などの過去の所定期間のガス使用量を表示できるとともに、当月の全使用量を簡単に予測してこれを表示できるようにすることである。
【課題を解決するための手段】
【００１４】
上記課題を解決するための手段は、ガスの積算手段、管理手段、記憶手段、表示手段、表示切替手段を有し、給湯装置による所定期間のガスの使用量を計測し、この計測データを上記記憶手段に記録して保存し、表示切替手段によって上記記録データを選択的に読み出して上記表示手段に表示できる給湯装置のリモコンを前提として、次の（イ）〜（ヘ）によるものである。
（イ）時間別データ記録領域を２４時間分有する当日分メモリと日別データ記憶領域を３０日分有する当月分メモリを備えており、
（ロ）当日分データ管理手段と当月分データ管理手段を備えおり、
（ハ）当月分使用量予測手段を備えており、
（ニ）当日分メモリへの時間毎データの書き込みが上書き記録であり、また、当月分メモリへの日毎データの書き込みが上書き記録であり、
（ホ）当月の全使用量を、当月分メモリの当月のデータと先月のデータとを用いて、上記当月分使用量予測手段で演算して予測し、
（ヘ）上記表示選択手段によって上記当月分の予測使用量を上記リモコンの表示器に選択的に表示するようになっていること。
【００１５】
上記の日毎データは、一日単位の使用量のデータであり、月毎データは３０日／一月単位の使用量のデータである。また、上記の当月分メモリの当月のデータは、当月分メモリに上書きされた当月のデータであり、「当月分メモリの・・・先月のデータ」は、当月分メモリに上書きされないで残っている先月のデータである。
【００１６】
当月分メモリについては、カレンダーどおりの月別に管理を行えるように、３１日分の記憶領域を有するものにすることもできる。しかしこの場合は、一月をカレンダー上のひと月にして、当月分データ管理手段でカレンダーどおりの期間毎にデータを記憶させることが必要である。そして、この場合は、３１日分の記憶領域を使って各月の日数分だけ日別にデータが記録されるが、先月の日数が当月の日数よりも少なく、従って、両月の日数が一致しない場合があり、またその反対の場合もある。このような場合に、先月のデータを使って当月の使用量を予測するときは、先月のデータの余分を削除し、あるいは不足分を補充するなどして、この日数の不一致に対する修正を加える必要がある。
また、上記当月使用量予測手段は、当月分メモリの今月のデータと先月のデータとに基づいて予測するものであるが、月単位のガス使用量は様々の要因で大きく変動するので、厳密に高精度に予測することはそもそも困難であり、おおよその予測しかできない。しかし、この発明が当月のガス使用量を予測することの目的からすれば実際上はこれで不足はない。
【００１７】
したがって、この予測手段による予測手法は、特に高度なものである必要はなく、ガス使用者に概略的な予測値を示し、これによりさらにガス使用量の節減を促すことができるものであればよい。その一つが、当月分メモリにおける当月のデータと先月のデータとを単純に加算すること、あるいはこの加算値に修正係数を乗じて、予測値の精度を高くするなどである。ただし、当月のデータが少ない場合（例えば全体の１／６以下）は、予測値が先月分の使用量に極めて近い値になり、季節変化分の修正係数を乗じるとすれば、結局、この修正値による違いでしかなくなる。当月のデータ数が少なくない場合（例えば、１０日目以降）は、季節変化に対する修正を行えば、予測値としての価値は十分にある。このようなことから、例えば５日目以前の段階で当月使用量を予測する必要は余り無く、１０日目以降の段階で予測値を示せれば、本発明の目的に照らして十分であるとも考えられる。
それゆえ、例えば、５日目以前等の、月はじめの段階では、予測値を示さないで対先月比の増減分を示し、１０日目以降において予測値を表示すようにすることもできる。
【００１８】
また、例えば予測値に公差を表示する（０００±△）こともできる。しかし、実際問題として、月別使用量は様々な要因によって、相当な変動（例えば、１０％以上の変動）を生じることが予想され、その変動幅をほぼ正確に予測することは困難であるので、上記のようにして公差±△を示すことは、実際上、必ずしも格別の意義を有しない。
【発明の効果】
【００１９】
当日分メモリの各記録領域に当日の各時間毎データが上書きして保存されているので、当該当日分メモリには、上書きして記録された当日のデータとまだ上書きされていない先日のデータとが保存されている。したがって、上書きして記録されたデータを集計することでその時点での当日分使用量が集計され、これが表示される。
また、当月分メモリの各日別記録領域に当月のデータが上書きして記録されているので、当該当月分メモリには、上書きして記録された当月のデータ（当月の日毎のデータ）とまだ上書きされていない先月のデータ（先月の日毎のデータ）とが記録されている。
したがって、上書きして記録されたデータを集計することで、その時点の先日までの当月分の使用量が集計され、これが表示される。
【００２０】
ところで、３０日／一月についていえば、各日毎の使用量の多い少ないがそのまま当月の使用量（月末の全使用量。以下同じ）に影響する。
他方、先月一月分と今月一月分のガス使用量の差は、季節変化の影響を大きく受けているが、大きく影響を与える外的要因は他にはないと考えられる。
【００２１】
以上のことを前提として、当月分メモリのデータを利用して当月の使用量を予測することができる。そして、この予測法の最も単純なものは、当月分メモリの記録データ（一部が当月のデータ、他の一部が先月のデータ）を単純に加算するものである。例えば、月半ばの１６日目における当月分メモリのデータ、すなわち、当月のデータ１５日分と先月のデータ１５日の分とを単純に加算すれば、その加算値は、当月の使用量（当月末までの使用量）に近似するので、これで当月の使用量が概略的に予測される。月半ばにおけるこの予測値の精度は高く、月初めにおける予測値の精度は低く、月末における予測値の精度は極めて高い。
【００２２】
また、春夏秋冬の季節の変わり目においては、季節変化による影響が大きく、この影響で先月と今月の使用量に大きな違いを生じるので、この場合は、この季節の変わり目の平均的な季節変化率を先月のデータに乗じ、これを当月のデータに加算することで季節変化分の修正を行うことができる。
また、季節の変わり目を除いて、１月から１２月まで、前後の各月の間の季節変化に対する修正係数をそれぞれ設定しておいて、これを用いて季節変化に対する修正を行うとよい。
上記の季節変化率は経験則に基づいて、各地域ごとに予め設定すればよいが、いずれにしても、当月分メモリにおける先月のデータについての予測の季節変化分の修正であるから、修正係数の誤差分の影響は小さく、従って、予測結果の誤差は比較的小さい。
【００２３】
又、次のようにして、実現可能な最小使用量を表示し、これを目標にして節減することを促すこともできる。
ガスの使用量（節減）については、一般的に次のような傾向があることが判明している。すなわち、月の途中でそれまでの使用量をリモコンで表示させて確認すると、その後しばらく（２乃至３日）は節減に努め、その後は、特に留意して節減することは少ない。このようなことが一月に数回繰り返される。
以上のことから、当月分メモリにおける先月のデータのうち、使用量が最も少なかった日を含めてその後３日分の平均値（節減した使用量）を求め、これを当月の残り日の平均使用量として当月データに加算して、これを実現可能な当月の最小使用量と見なすことができる。
【００２４】
逆に、当月分メモリにおける 先月のデータのうち、使用量が最も多かった日を含めてその後３日分の平均値を求め、これを当月の残り日の平均使用量として当月のデータに加算して、その加算結果を実現される可能性がある今月の最大使用量と見なすことができる。
このように予測して、最大予測値と最小予測値とを示すことによって、節減を心がけない場合と節減を心がける場合との違いを示すことことができる。
【００２５】
本発明は、当月分メモリにおける当月のデータと先月のデータとを利用して当月の使用量を予測するものであるが、同様にして、１２ヶ月分の各月別記録領域を備えている月別メモリにおける当年データ（月別データ）と先年データ（月別データ）とを利用して、当年の使用量（当年末までの使用量）を予測して表示することもできる。ただし、この場合はある程度の月数（例えば、４ヶ月）が経過した後でなければその予測値は余り意義がない。
【００２６】
また、同様にして、当日分メモリにおける本日のデータと先日のデータとを利用して当日の使用量を予測して表示することもできる。
さらに、当月の目標使用量を設定すれば、当月の使用量を予測してその当月予測使用量と目標使用量とを比較してその差分を表示すれば、その後節減すべき使用量が具体的に見えるので、さらに節減意識を高めることができる。
【発明を実施するための最良の形態】
【００２７】
この発明は図１〜図３に示す先行技術を基礎にしたものであり、そのシステム構成に当月分予測手段を付加し、当月分メモリの当月のデータと先月のデータとを利用して当月の使用量を予測し、また月別メモリの当年のデータと先年のデータとを利用して当年の使用量（年末までの全使用量）の予測を行うものである。 
なお、一月、一年等の所定期間の使用量は使用したガス量で表示してもよく、指数で表示しても良く、あるいは支払うべき金額で表示してもよい。
図４〜図６にこの実施例を示している。この実施例のシステム構成図、記録システム図は、図１〜図３の先行技術と同様にガスの使用量又は水の使用量についてのものであり、これによれば、ガスの使用量と水の使用量がそれぞれ記録され、また表示される。
【００２８】
図１〜図３に示す先行技術の構成と同様の範囲については既に説明したので、ここではその説明は省略する。
この実施例においてはシステム構成として、コントローラＣで制御される当月分予測手段１６と当年分予測手段１７とを備えている。そして、この当月分予測手段１６は当月分データ管理手段２４から、当月分メモリ１３に記録された当月のデータＤ１、先月のデータＤ２をそれぞれ供給され、また、当年分予測手段１７は月別メモリ１４に記録された当年のデータＤ３と先年のデータＤ４をそれぞれ供給される。
【００２９】
表示切替手段２７を操作して当月分予測の要求が出されると、当月分予測手段１６が作動して、当月分メモリ１３に記録された当月のデータＤ１と先月のデータＤ２を加算し、季節変化率を乗じて修正を加える等して予測値を算出する。その一例を式で表せば次のとおりである。
当月分予測値Ａ＝Ｄ１＋Ｄ２×α
ただし、αは季節変化に対する修正を加えるための係数であって、１．０よりも大きい。そして、このようにして予測値を演算する場合は、当月のデータＤ１が４ヶ月分以上（Ｄ１＞４ヶ月分）であることが望ましい。
また、αは各月別に定められる係数であり、当月分予測手段のメモリに予め設定されていて、各月に応じて読み出されて上記の演算がなされる。
【００３０】
同様にして当年分予測の要求が出されると、当年分予測手段１７が作動して、月別メモリ１４に記録された当年のデータＤ３と先年のデータＤ４を単純に加算して予測値を算出する。これを式で表せば次のとおりである。
当年分予測値Ｂ＝Ｄ３＋Ｄ４
ただし、Ｄ３＞４ヶ月分であることが望ましい。
【００３１】
また、当月分予測の要求がなされたときは、当月分メモリのその該当日にマークを記録しておき、新たに当月のデータを上書きするときに、先月のマークを消去しつつ、当月のマークを順次記録するようにすれば、これを使って、次のように当月分予測値の最大値、最小値を算出することができる。
すなわち、例えば、当月分メモリの１０日目、１５日目、２０日目、２５日目に上記マークが記録されているときは、これらの日の後の２乃至３日はガスの節減を心がけたものと推測される。そこで、例えば１２日目に当月分の予測請求がなされたと仮定すれば、１２日目はまだ当月のデータが上書きされていないから、１２日目のデータは先月のデータである。そこで１２日目と、１５日、１６日、１７日の３日間と、２０日、２１日、２２日の３日間と、２５日、２６日、２７日の３日間とを加算し、その平均値を１２日〜３０日目までの平均値と見なし、これで１２日から３０日目まで総使用量を算出する。そしてこれに季節変化係数αによる季節変化の修正を加えて１２日から３０日目の間の最小使用量（Ｄｘ）を予測する。１１日までの当月のデータＤ１と上記最小使用量Ｄｘとを加算することで、当月の最小使用量が予測される。この最小使用量の予測値は、節減を心がけることで達成が可能な最小の当月の使用量である。
【００３２】
また、上記の例では、１２日と、１７，１８，１９日の３日間と、２７，２８，２９日の３日間とを加算し、その平均値を１２日目から３０日目までの平均値と見なし、これで１２日から３０日目までの使用量を予測する。そしてこれを季節変化係数αによる季節変化の修正を加えて１２日目から３０日目の間の最大使用量Ｄｙを予測する。１１日までの当月のデータＤ１と上記最大使用量Ｄｙとを加算することで、当月の最大使用量が予測される。この当月の最大使用量の予測値は、節減を心がけなければ使用される可能性がある最大の当月の使用量である。
平均的な予測の他に上記の最大、最小の予測ができるようにしてもよく、いずれか一方だけを可能にしてもよい。
【図面の簡単な説明】
【００３３】
【図１】は先行技術に係る給湯装置のリモコンの、ガス使用量、水使用量の表示機能を実現する手段のシステム構成図である。
【図２】は先行技術の構成を示すブロック図である。
【図３】は先行技術のガス使用量に関する各種データの記録システム図である。
【図４】はこの発明の実施例のシステム構成図である。
【図５】は上記実施例の構成を示すブロック図である。
【図６】は実施例のガス使用量の各種データの記録システム図である。
【図７】は従来例のシステム構成図である。
【符号の説明】
【００３４】
Ｃ：コントローラ
Ｓ１：ガス量積算手段
Ｓ２：水量積算手段
Ｓ２１：積算手段
Ｔ１：計時手段（２４時間）
Ｔ２：計時手段（３０日）
１１：当日分メモリー
１２：先日分メモリー
１３：当月分メモリー
１４：月別メモリー
１５：表示手段
２２：計時手段（１．５秒）
２３：計時手段（１時間）
２４：管理手段
２４ａ：当日分データ管理手段
２４ｂ：当月分データ管理手段
２４ｃ：月別管理手段
２４ｄ：先日分データ管理手段
２５：記憶手段
２７：表示切替手段
【図１】
2008175504.tif 000003
【図２】
2008175504.tif 000004
【図３】
2008175504.tif 000005
【図４】
2008175504.tif 000006
【図５】
2008175504.tif 000007
【図６】
2008175504.tif 000008
【図７】
2008175504.tif 000009